(57)【特許請求の範囲】
【請求項１】
ボディーを含み、前記ボディーの上端面の中には上方に開口する貯蔵空間が設置され、前記貯蔵空間の中には照明機構が設置され、前記照明機構は前記貯蔵空間の中に嵌められた雌ネジブロックを含み、前記雌ネジブロックの中にはネジスリーブがネジ山により連結され、前記ネジスリーブの中にはライトが固定的に設置され、前記ライトの下端面には折りたたみチューブが固定的に設置され、前記折りたたみチューブが伸縮して曲げられることができ、前記ライトを回すことにより、前記ライトを前記貯蔵空間の中から取り出すことができ、前記折りたたみチューブを引き動かすことにより、前記ライトの向きを調節でき、かつ前記ライトを通電発光させることができ、
前記照明機構の下側には懐中電灯機構が設置され、前記懐中電灯機構は上下にスライド可能な推力ロッドを含み、前記推力ロッドの左側には前記推力ロッドとともに運動する運動ロッドが設置され、前記運動ロッドの上端面には二つの金属ロッドが固定的に設置され、上方に前記推力ロッドを押し動かすことにより、前記金属ロッドを駆動して上方に運動させて前記ライトが前記貯蔵空間の中で通電発光できるようになることを特徴とする照明方向調節可能な照明機能付きペン。
【請求項２】
前記懐中電灯機構は前記貯蔵空間の右端壁の中に設置された磁性空間を含み、前記磁性空間が前記貯蔵空間の右端壁と外部空間とを連通させ、前記磁性空間の上下端壁には二つの磁石が対称的にかつ固定的に設置され、前記磁性空間の中には鉄ブロックがスライド可能に設置され、前記推力ロッドが前記鉄ブロックの右端面に固定的に設置され、前記運動ロッドの右端が前記鉄ブロックの左端面に固定され、前記貯蔵空間の後端壁には二つの旋転軸が左右対称的にかつ回転可能に設置され、前記旋転軸には旋転歯車と導電ブロックが固定的に設置され、前記導電ブロックが前記旋転歯車の前側に位置し、前記導電ブロックには導電ロッドが固定的に設置されていることを特徴とする請求項１に記載の照明方向調節可能な照明機能付きペン。
【請求項３】
前記照明機構はまた前記貯蔵空間の端壁の中に形成された環状溝を含み、前記環状溝が前記貯蔵空間へ開口し、前記環状溝は前記ライトを中心にして対称であり、前記環状溝の中には二枚の弧状ブロックが左右対称的にかつスライド可能に設置され、前記弧状ブロックにおいて前記貯蔵空間に近接した端面には支持ロッドが固定的に設置され、前記支持ロッドにおいて前記貯蔵空間に近接した一端が前記貯蔵空間の中に位置し、二つの前記支持ロッドの間には支持ブロックが固定的に設置され、前記支持ブロックの下端面には電池が固定的に設置され、前記電池の前端面には二つの電極が連結され、左側の前記導電ロッドが左側の前記電極と接触して導電し、右側の前記導電ロッドが右側の前記電極と接触して導電し、前記支持ブロックの中には前記支持ブロックの上下端面を貫通する連結空間が設置され、前記連結空間の左端壁の中には右方に開口する移動溝が形成され、前記移動溝の中には移動ブロックがスライド可能に設置され、前記移動ブロックの右端面には右端が前記連結空間の中に位置する移動ロッドが固定的に設置され、前記移動ロッドの右端には移動板が固定的に設置され、前記移動板の右端面には第一ラックが嵌められ、前記連結空間の後端壁の中にはトーションばねによりねじり軸が回転可能に設置され、前記ねじり軸にはリールと伝動歯車が固定的に設置され、前記伝動歯車が前記リールの前側に位置し、前記伝動歯車が前記第一ラックと噛み合い、前記リールには前記ライトの下端面と固定的に連結された細紐が巻かれており、前記移動板の下端には連結板が固定的に設置され、前記連結板の左右端面には導電板が固定的に設置され、前記導電板と前記ライトとが第一電線により導電し、前記導電板と前記金属ロッドとが第二電線により導電し、前記連結板の下端面には両面ラックが固定的に設置され、前記両面ラックが二つの前記旋転歯車の間に位置し、かつ二つの前記旋転歯車とも噛み合うことを特徴とする請求項２に記載の照明方向調節可能な照明機能付きペン。
【請求項４】
前記貯蔵空間の下端壁の中には下方に開口する収納空間が設置され、前記ボディーの下端面には雄ネジブロックが固定的に設置され、前記雄ネジブロックには口金がネジ山により連結され、前記収納空間の中には替え芯が設置されていることを特徴とする請求項１に記載の照明方向調節可能な照明機能付きペン。
【請求項５】
前記連結板が絶縁体で電流を遮断することを特徴とする請求項３に記載の照明方向調節可能な照明機能付きペン。
【請求項６】
前記導電ブロックが導電でき、前記旋転軸が絶縁体で電流を遮断することを特徴とする請求項２に記載の照明方向調節可能な照明機能付きペン。
【発明の詳細な説明】
【技術分野】
【０００１】
本願発明は照明器具分野に関し、具体的には照明方向調節可能な照明機能付きペンである。
【背景技術】
【０００２】
ペンは筆記用具として広く使用される。重要な試験や仕事で、長時間使用できるペンが必要であり、暗いところで、ペンを長時間使用すると、目が悪くなる。既存の照明機能付きペンは単一の機能を備え、或いはペン尻やグリップに照明器具を設置するだけである。人の書き習慣がそれぞれで、特に左手で字を書く人にとって、上記の照明機能付きペンは不便であり、一部の人の使用を妨げる恐れがある。
【先行技術文献】
【特許文献】
【０００３】
【特許文献１】中国特許出願公開第１０８８１９５６８号明細書
【発明の概要】
【発明が解決しようとする課題】
【０００４】
本願発明の解決しようとする技術問題は、照明方向を調節でき、照明機能を付けるペンを提供するのであり、照明機能付きペンは適用範囲が狭く、実用性がない問題を解決する。
【課題を解決するための手段】
【０００５】
本願発明の照明方向調節可能な照明機能付きペンは、ボディーを含み、前記ボディーの上端面の中には上方に開口する貯蔵空間が設置され、前記貯蔵空間の中には照明機構が設置され、前記照明機構は前記貯蔵空間の中に嵌められた雌ネジブロックを含み、前記雌ネジブロックの中にはネジスリーブがネジ山により連結され、前記ネジスリーブの中にはライトが固定的に設置され、前記ライトの下端面には折りたたみチューブが固定的に設置され、前記折りたたみチューブが伸縮して曲げられることができ、前記ライトを回すことにより、前記ライトを前記貯蔵空間の中から取り出すことができ、前記折りたたみチューブを引き動かすことにより、前記ライトの向きを調節でき、かつ前記ライトを通電発光させることができる。
【０００６】
前記照明機構の下側には懐中電灯機構が設置され、前記懐中電灯機構は上下にスライド可能な推力ロッドを含み、前記推力ロッドの左側には前記推力ロッドとともに運動する運動ロッドが設置され、前記運動ロッドの上端面には二つの金属ロッドが固定的に設置され、上方に前記推力ロッドを押し動かすことにより、前記金属ロッドを駆動して上方に運動させて前記ライトが前記貯蔵空間の中で通電発光できるようになる。
【０００７】
有益なように、前記懐中電灯機構は前記貯蔵空間の右端壁の中に設置された磁性空間を含み、前記磁性空間が前記貯蔵空間の右端壁と外部空間とを連通させ、前記磁性空間の上下端壁には二つの磁石が対称的にかつ固定的に設置され、前記磁性空間の中には鉄ブロックがスライド可能に設置され、前記推力ロッドが前記鉄ブロックの右端面に固定的に設置され、前記運動ロッドの右端が前記鉄ブロックの左端面に固定され、前記貯蔵空間の後端壁には二つの旋転軸が左右対称的にかつ回転可能に設置され、前記旋転軸には旋転歯車と導電ブロックが固定的に設置され、前記導電ブロックが前記旋転歯車の前側に位置し、前記導電ブロックには導電ロッドが固定的に設置されている。
【０００８】
有益なように、前記照明機構はまた前記貯蔵空間の端壁の中に形成された環状溝を含み、前記環状溝が前記貯蔵空間へ開口し、前記環状溝は前記ライトを中心にして対称であり、前記環状溝の中には二枚の弧状ブロックが左右対称的にかつスライド可能に設置され、前記弧状ブロックにおいて前記貯蔵空間に近接した端面には支持ロッドが固定的に設置され、前記支持ロッドにおいて前記貯蔵空間に近接した一端が前記貯蔵空間の中に位置し、二つの前記支持ロッドの間には支持ブロックが固定的に設置され、前記支持ブロックの下端面には電池が固定的に設置され、前記電池の前端面には二つの電極が連結され、左側の前記導電ロッドが左側の前記電極と接触して導電し、右側の前記導電ロッドが右側の前記電極と接触して導電し、前記支持ブロックの中には前記支持ブロックの上下端面を貫通する連結空間が設置され、前記連結空間の左端壁の中には右方に開口する移動溝が形成され、前記移動溝の中には移動ブロックがスライド可能に設置され、前記移動ブロックの右端面には右端が前記連結空間の中に位置する移動ロッドが固定的に設置され、前記移動ロッドの右端には移動板が固定的に設置され、前記移動板の右端面には第一ラックが嵌められ、前記連結空間の後端壁の中にはトーションばねによりねじり軸が回転可能に設置され、前記ねじり軸にはリールと伝動歯車が固定的に設置され、前記伝動歯車が前記リールの前側に位置し、前記伝動歯車が前記第一ラックと噛み合い、前記リールには前記ライトの下端面と固定的に連結された細紐が巻かれており、前記移動板の下端には連結板が固定的に設置され、前記連結板の左右端面には導電板が固定的に設置され、前記導電板と前記ライトとが第一電線により導電し、前記導電板と前記金属ロッドとが第二電線により導電し、前記連結板の下端面には両面ラックが固定的に設置され、前記両面ラックが二つの前記旋転歯車の間に位置し、かつ二つの前記旋転歯車とも噛み合う。
【０００９】
有益なように、前記貯蔵空間の下端壁の中には下方に開口する収納空間が設置され、前記ボディーの下端面には雄ネジブロックが固定的に設置され、前記雄ネジブロックには口金がネジ山により連結され、前記収納空間の中には替え芯が設置されている。
【００１０】
有益なように、前記連結板が絶縁体で電流を遮断する。
【００１１】
有益なように、前記導電ブロックが導電でき、前記旋転軸が絶縁体で電流を遮断する。
【発明の効果】
【００１２】
本願発明の有益な効果は：本願発明はペンの書く機能に加えて、懐中電灯として使用されることができれば、書く時に照明ライトとして使用されることもできる。機能が豊富で、実用的である。また本願発明は照明ライトとして使用される時、折りたたみチューブにより照明方向を便利に調節でき、人によい体験を与え、そして照明ライトとして使われる時、懐中電灯の部分がオフになり、上記の二つの機能が互いに干渉しない。
【図面の簡単な説明】
【００１３】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１４】
【図１】図１は本願発明の照明方向調節可能な照明機能付きペンの全体全断面の正面構成概略図
【図２】図２は図１におけるＡの拡大図
【図３】図３は図２におけるＢの拡大図
【図４】図４は図２におけるＣ―Ｃ方向からの概略図
【図５】図５は図４におけるＤの拡大図
【発明を実施するための形態】
【００１５】
図１〜５に記載の照明方向調節可能な照明機能付きペンは、ボディー１０を含み、前記ボディー１０の上端面の中には上方に開口する貯蔵空間１８が設置され、前記貯蔵空間１８の中には照明機構７１が設置され、前記照明機構７１は前記貯蔵空間１８の中に嵌められた雌ネジブロック２０を含み、前記雌ネジブロック２０の中にはネジスリーブ２１がネジ山により連結され、前記ネジスリーブ２１の中にはライト２３が固定的に設置され、前記ライト２３の下端面には折りたたみチューブ２５が固定的に設置され、前記折りたたみチューブ２５が伸縮して曲げられることができ、前記ライト２３を回すことにより、前記ライト２３を前記貯蔵空間１８の中から取り出すことができ、前記折りたたみチューブ２５を引き動かすことにより、前記ライト２３の向きを調節でき、かつ前記ライト２３を通電発光させることができる。
【００１６】
前記照明機構７１の下側には懐中電灯機構７０が設置され、前記懐中電灯機構７０は上下にスライド可能な推力ロッド２９を含み、前記推力ロッド２９の左側には前記推力ロッド２９とともに運動する運動ロッド３１が設置され、前記運動ロッド３１の上端面には二つの金属ロッド３２が固定的に設置され、上方に前記推力ロッドを押し動かすことにより、前記金属ロッド３２を駆動して上方に運動させて前記ライト２３が前記貯蔵空間１８の中で通電発光できるようになる。
【００１７】
有益なように、前記懐中電灯機構７０は前記貯蔵空間１８の右端壁の中に設置された磁性空間２８を含み、前記磁性空間２８が前記貯蔵空間１８の右端壁と外部空間とを連通させ、前記磁性空間２８の上下端壁には二つの磁石２７が対称的にかつ固定的に設置され、前記磁性空間２８の中には鉄ブロック３０がスライド可能に設置され、前記推力ロッド２９が前記鉄ブロック３０の右端面に固定的に設置され、前記運動ロッド３１の右端が前記鉄ブロック３０の左端面に固定され、前記貯蔵空間１８の後端壁には二つの旋転軸３６が左右対称的にかつ回転可能に設置され、前記旋転軸３６には旋転歯車３３と導電ブロック３５が固定的に設置され、前記導電ブロック３５が前記旋転歯車３３の前側に位置し、前記導電ブロック３５には導電ロッド３７が固定的に設置されている。
【００１８】
有益なように、前記照明機構７１はまた前記貯蔵空間１８の端壁の中に形成された環状溝１６を含み、前記環状溝１６が前記貯蔵空間１８へ開口し、前記環状溝１６は前記ライト２３を中心にして対称であり、前記環状溝１６の中には二枚の弧状ブロック１５が左右対称的にかつスライド可能に設置され、前記弧状ブロック１５において前記貯蔵空間１８に近接した端面には支持ロッド１７が固定的に設置され、前記支持ロッド１７において前記貯蔵空間１８に近接した一端が前記貯蔵空間１８の中に位置し、二つの前記支持ロッド１７の間には支持ブロック２６が固定的に設置され、前記支持ブロック２６の下端面には電池４１が固定的に設置され、前記電池４１の前端面には二つの電極３９が連結され、左側の前記導電ロッド３７が左側の前記電極３９と接触して導電し、右側の前記導電ロッド３７が右側の前記電極３９と接触して導電し、前記支持ブロック２６の中には前記支持ブロック２６の上下端面を貫通する連結空間４９が設置され、前記連結空間４９の左端壁の中には右方に開口する移動溝４５が形成され、前記移動溝４５の中には移動ブロック４２がスライド可能に設置され、前記移動ブロック４２の右端面には右端が前記連結空間４９の中に位置する移動ロッド４４が固定的に設置され、前記移動ロッド４４の右端には移動板４０が固定的に設置され、前記移動板４０の右端面には第一ラック４３が嵌められ、前記連結空間４９の後端壁の中にはトーションばね５３によりねじり軸４７が回転可能に設置され、前記ねじり軸４７にはリール４８と伝動歯車４６が固定的に設置され、前記伝動歯車４６が前記リール４８の前側に位置し、前記伝動歯車４６が前記第一ラック４３と噛み合い、前記リール４８には前記ライト２３の下端面と固定的に連結された細紐１９が巻かれており、前記移動板４０の下端には連結板５１が固定的に設置され、前記連結板５１の左右端面には導電板３８が固定的に設置され、前記導電板３８と前記ライト２３とが第一電線２４により導電し、前記導電板３８と前記金属ロッド３２とが第二電線３４により導電し、前記連結板５１の下端面には両面ラック５２が固定的に設置され、前記両面ラック５２が二つの前記旋転歯車３３の間に位置し、かつ二つの前記旋転歯車３３とも噛み合う。
【００１９】
有益なように、前記貯蔵空間１８の下端壁の中には下方に開口する収納空間１１が設置され、前記ボディー１０の下端面には雄ネジブロック１２が固定的に設置され、前記雄ネジブロック１２には口金１３がネジ山により連結され、前記収納空間１１の中には替え芯１４が設置されている。
【００２０】
有益なように、前記連結板５１が絶縁体で電流を遮断する。
【００２１】
有益なように、前記導電ブロック３５が導電でき、前記旋転軸３６が絶縁体で電流を遮断する。
【００２２】
本願発明の機械動作の順序は以下の通りである。
【００２３】
初期状態に、鉄ブロック３０が下側の磁石２７に吸い付かれ、トーションばね５３が正常状態にある。
【００２４】
正常状態に、本願発明はペンとして使用されることができる。
【００２５】
懐中電灯として使用する時、上方に推力ロッド２９を押し動かすことにより、鉄ブロック３０が駆動されて上方に運動し、かつ下側の磁石２７から離脱して上側の磁石２７に吸い付かれ、運動ロッド３１が鉄ブロック３０と一緒に運動することにより、金属ロッド３２が駆動されて上方へ導電ブロック３５と接触して導電し、ライト２３、第一電線２４、導電板３８、第二電線３４、金属ロッド３２、導電ブロック３５、導電ロッド３７、電極３９が電池４１と協働して電気回路を構成することで電流が通ってライト２３を通電発光させる。
【００２６】
書く時に照明ライトとして使用する時、ライト２３を回すことにより、ネジスリーブ２１、折りたたみチューブ２５と支持ブロック２６を駆動して一緒に旋転させ、ネジスリーブ２１と雌ネジブロック２０との噛合により、ライト２３を貯蔵空間１８の中から取り出せ、ライト２３を引き動かすことにより、折りたたみチューブ２５が拡張し、細紐１９が引き動かされてリール４８を駆動して回転させ、リール４８がねじり軸４７を駆動して回転させ、トーションばね５３が圧縮され、ねじり軸４７が伝動歯車４６を駆動して回転させ、伝動歯車４６と第一ラック４３との噛合により、第一ラック４３を駆動して上昇させ、導電板３８と連結板５１が第一ラック４３とともに上昇し、左側の導電板３８が上昇して左側の電極３９と導電し、右側の導電板３８が上昇して右側の電極３９と導電し、両面ラック５２が連結板５１とともに上昇し、両面ラック５２と旋転歯車３３との噛合により、旋転歯車３３を駆動して回転させ、導電ロッド３７が旋転歯車３３とともに回転して電極３９との接触から離脱し、電極３９、導電板３８、第一電線２４、ライト２３が電池４１と協働して電気回路を構成することにより、ライト２３が通電して発光し、折りたたみチューブ２５の特性によりライト２３の向きを調節でき、そうして人のペン握り方法に適応できる。
【００２７】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本願発明は照明方向調節可能な照明機能付きペンを開示した。
【解決手段】
ボディーを含み、前記ボディーの上端面の中には上方に開口する貯蔵空間が設置され、前記貯蔵空間の中には照明機構が設置され、前記照明機構は前記貯蔵空間の中に嵌められた雌ネジブロックを含み、前記雌ネジブロックの中にはネジスリーブがネジ山により連結され、前記ネジスリーブの中にはライトが固定的に設置され、本願発明はペンの書く機能に加えて、懐中電灯として使用されることができれば、書く時に照明ライトとして使用されることもできる。機能が豊富で、実用的である。また本願発明は照明ライトとして使用される時、折りたたみチューブにより照明方向を便利に調節でき、人によい体験を与え、そして照明ライトとして使われる時、懐中電灯の部分がオフになり、上記の二つの機能が互いに干渉しない。
【選択図】図１【図１】
0006841993.tif 000002
【図２】
0006841993.tif 000003
【図３】
0006841993.tif 000004
【図４】
0006841993.tif 000005
【図５】
0006841993.tif 000006